(57)【特許請求の範囲】
【請求項１】
加熱手段と、前記加熱手段の電力を複数の段階で制御する制御手段と、設定された電力段階を表示する第１の電力表示手段と、前記第１の電力表示手段の電力段階及び前記第１の電力表示手段により表示する電力段階に対し、各電力段階をさらに複数の電力段階で表示する第２の電力表示手段の電力段階を設定する第１の電力設定手段と、前記第１の電力表示手段の電力段階を設定する状態と前記第２の電力表示手段の電力段階を設定する状態とを切り換える電力設定状態切換手段と、前記電力設定状態切換手段により設定された電力設定状態を表示する電力設定状態表示手段とを備え、前記制御手段は、前記第１の電力設定手段の出力と前記電力設定状態切換手段の出力により、設定された前記第１の電力表示手段の電力段階の段階について、前記加熱手段の電力を少しだけ弱く、または、少しだけ強くすべく、前記第２の電力表示手段の電力段階を調節して前記加熱手段を制御する電力を決定する誘導加熱調理器。
【請求項２】
加熱手段と、前記加熱手段の電力を複数の段階で制御する制御手段と、設定された電力段階を表示する第１の電力表示手段と、前記第１の電力表示手段の電力段階及び前記第１の電力表示手段により表示する電力段階に対し、各電力段階をさらに複数の電力段階で表示する第２の電力表示手段の電力段階を設定する第１の電力設定手段と、前記第１の電力設定手段からの出力により計時を開始する第１の計時手段とを備え、前記制御手段は、前記第１の計時手段により計時された前記第１の電力設定手段の操作時間を入力するとともに前記第１の電力表示手段の電力段階を変更するか前記第２の電力表示手段の電力段階を変更するかを決定し、前記第１の電力設定手段の出力と前記操作時間により、設定された前記第１の電力表示手段の電力段階の段階について、前記加熱手段の電力を少しだけ弱く、または、少しだけ強くすべく、前記第２の電力表示手段の電力段階を調節して前記加熱手段を制御する電力を決定する誘導加熱調理器。
【請求項３】
第２の電力表示手段の電力段階を設定する状態において、第１の電力設定手段により前記第２の電力表示手段の電力段階を変更したときから計時を開始する第２の計時手段を備え、制御手段は前記第２計時手段の出力により前記第２の電力表示手段の電力段階が変更されてから一定時間経過後、前記第１の電力表示手段の電力段階を設定する状態に切換える請求項１に記載の誘導加熱調理器。
【発明の詳細な説明】
【０００１】
【発明の属する技術分野】
本発明は、一般家庭において使用される誘導加熱調理器に関するものである。
【０００２】
【従来の技術】
従来の誘導加熱調理器について図１０および図１１（ａ）、（ｂ）により説明する。この誘導加熱調理器のブロック図である図１０において、１は誘導加熱調理器の上部に置かれた鍋を誘導加熱する加熱手段、２は加熱手段の電力を複数の段階で制御する制御手段、３は前記複数の段階に設定されている電力段階を表示する第１の電力表示手段、４は使用者が電力段階を設定する第１の電力設定手段である。
【０００３】
図１１（ａ）、（ｂ）は従来の誘導加熱調理器における操作表示部の詳細な図である。電力表示手段３は、１〜７の数字で示す７つの電力段階表示とこの各電力段階に対応した７つのＬＥＤ表示素子により構成され、調理中の電力段階に応じたＬＥＤが点灯する。第１の電力設定手段４は、弱い電力を設定するダウンスイッチ４ａと強い電力を設定するアップスイッチ４ｂから構成され、使用者は、ダウンスイッチ４ａまたはアップスイッチ４ｂを操作することによって目的の電力段階１〜７を得る。
【０００４】
【発明が解決しようとする課題】
しかしながら、上記従来のような構成では、使用者が設定できる電力段階が少なく、調理中、少し電力を下げたい、または少し電力を上げたいという場合に使用者の目的の電力が得られないという問題点があった。
【０００５】
また、上記問題を解決するため多くの段階の電力を設定できるようにすると、多くの表示素子が必要になることからコストアップになり、かつ操作性も悪くなる。
【０００６】
本発明は、上記従来の問題点を解決するもので、スイッチの操作が簡単で、かつ安価に目的の電力が得られる使い勝手のよい誘導加熱調理器を提供することを目的とする。
【０００７】
【課題を解決するための手段】
上記課題を解決するために本発明の誘導加熱調理器は、加熱手段と、前記加熱手段の電力を複数の段階で制御する制御手段と、設定された電力段階を表示する第１の電力表示手段と、前記第１の電力表示手段の電力段階を設定する第１の電力設定手段と、前記第１の電力表示手段の電力段階に対し、各電力段階をさらに複数の電力段階で表示する第２の電力表示手段と、前記第２の電力表示手段の電力段階を設定する第２の電力設定手段とを備え、前記制御手段が前記第１の電力設定手段と前記第２の電力設定手段の出力により、前記第１の電力表示手段の電力段階と前記第２の電力表示手段の電力段階と前記加熱手段を制御する電力を決定することにより、使用者が設定する電力段階を増やし、使用者が調理中に電力を少しだけ弱く、または、少しだけ強くといった適切な電力の調節ができる。
【０００８】
【発明の実施の形態】
請求項１記載の発明は、第１の電力表示手段で表示する電力段階を設定する状態と第２の電力表示手段で表示する電力段階を設定する状態とを切り換える電力設定状態切換手段と、前記電力設定状態切換手段により設定された電力設定状態を表示する電力設定状態表示手段とを備え、制御手段は、前記第１の電力表示手段の電力段階及び前記第１の電力表示手段により表示する電力段階に対し、各電力段階をさらに複数の電力段階で表示する第２の電力表示手段の電力段階とを設定する前記第１の電力設定手段の出力と前記電力設定状態切換手段の前記第１の電力表示手段の電力段階を設定する状態出力により、設定された前記第１の電力表示手段の電力段階の段階について、加熱手段の電力を少しだけ弱く、または、少しだけ強くすべく、前記第２の電力表示手段の電力段階を調節して前記加熱手段を制御する電力を決定することにより、少ないスイッチによる簡単な操作で適切な電力を得ることができる。
【０００９】
請求項２記載の発明は、第１の電力表示手段の電力段階及び前記第１の電力表示手段により表示する電力段階に対し、各電力段階をさらに複数の電力段階で表示する第２の電力表示手段の電力段階を設定する第１の電力設定手段からの出力により計時を開始する第１の計時手段を備え、制御手段は、前記第１の計時手段により計時された前記第１の電力設定手段の操作時間を入力するとともに前記操作時間により時間前記第１の電力表示手段の電力段階を変更するか前記第２の電力表示手段の電力段階を変更するかを決定し、前記第１の電力設定手段の出力と前記操作時間により、設定された第１の電力表示手段の電力段階の段階について、加熱手段の電力を少しだけ弱く、または、少しだけ強くすべく、前記第２の電力表示手段の電力段階を調節して前記加熱手段を制御する電力を決定することにより、少ないスイッチによる安価な構成で適切な電力を得ることができる。
【００１０】
請求項３記載の発明は、特に、請求項１の記載において、第２の電力表示手段の電力段階を設定する状態において、第１の電力設定手段により前記第２の電力表示手段の電力段階を変更したときから計時を開始する第２の計時手段を付加し、制御手段は、前記第２の計時手段により前記第２の電力表示手段の電力段階が変更されてから一定時間経過後に、前記第１の電力表示手段の電力段階を設定する状態に設定状態を切り換えることにより、調理中、使用者が、電力設定をしてから一定時間経過後に再度電力設定を行う場合に、前記第１の電力表示手段の電力段階を変更できるようになっているので、少ないスイッチ操作により電力段階の設定ができ、使い勝手がよい。
【００１１】
【実施例】
以下本発明を適用した誘導加熱調理器につき、図面を参照して説明する。なお、従来例と同一の構成要素については同じ符号を付して詳細な説明を省略する。
【００１２】
（参考例１）
図１は本参考例の制御ブロック図であり、図１において、５は第１の電力表示手段３の電力段階１〜７に対し、各電力段階をさらに複数の電力段階で表示する第２の電力表示手段であり、制御手段２の出力により設定されている電力段階を表示する。６は制御手段２に第２の電力表示手段５の電力段階を入力する第２の電力設定手段である。制御手段２は、前記第１の電力設定手段４と前記第２の電力設定手段６の出力により、前記第１の電力表示手段３の表示する電力段階と前記第２の電力表示手段５の表示する電力段階と前記加熱手段２を制御する電力を決定する制御フローを有している。
【００１３】
図２は本参考例における具体的な回路図であり、７は商用電源、８は商用電源７を整流する単方向整流回路である。９は加熱手段１である加熱コイル、１０は制御手段２であるインバータ回路で、スイッチング素子、共振コンデンサ、平滑回路等により構成され、単方向整流回路８によって整流された電源を高周波電力に変換して加熱コイル９に供給する。
【００１４】
１１はインバータ回路１０のスイッチング素子を駆動させる駆動回路、１２はカレントトランスに流れる電流を電圧に変換して入力電流を検知する電流検知回路である。電流検知回路１２の出力は制御手段２であるマイクロコンピュータ１３に入力され、マイクロコンピュータ１３は電流検知回路１２の出力が所定の電圧になるようにインバータ回路１０を駆動する駆動回路１１に送るオンオフ信号を変化させることにより電力制御を行う。
【００１５】
図３（ａ）は第１の電力表示手段３、図３（ｂ）は第１の電力設定手段４、図３（ｃ）は第２の電力表示手段５、図３（ｄ）は第２の電力設定手段６の詳細な図を示している。第１の電力表示手段３は、数字１〜７を順番に並べて７段階の電力段階表示およびこれに対応して黒塗り四角で示した７個のＬＥＤ表示素子で構成している。第１の電力設定手段４は第１の電力表示手段３の電力段階表示を設定するため、ダウンスイッチ４ａとアップスイッチ４ｂにより構成している。第２の電力表示手段５は、強、中、弱の漢字を並べて示す３段階の電力段階表示およびこれに対応して黒塗り四角で示した３個のＬＥＤ表示素子で構成している。第２の電力設定手段６は、第１の電力設定手段４における７段階の各電力段階に対し、少し小さい電力段階の弱を設定する弱スイッチ６ａと、少し大きい電力段階の強を設定する強スイッチ６ｂより構成し、第２の電力表示手段５の電力段階を表示する。
【００１６】
上記参考例において、電力段階表示の動作を操作表示部の詳細図である図３（ａ）〜（ｄ）に従い説明する。調理器に通電し、第１の電力表示手段３の電力段階３が設定されている場合は、ＬＥＤ表示素子１〜３までが点灯し、電力段階７が設定されている場合は、ＬＥＤ表示素子１〜７の全てが点灯して表示する。
【００１７】
このような第１の電力表示手段３がＬＥＤ表示素子１〜４を点灯し、第１の電力設定手段４は電力段階４を設定して調理している場合において、加熱力を少し弱くしたい時、第１の電力設定手段４のダウンスイッチ４ａを押すと、電力段階３が設定され第１の電力表示手段３はＬＥＤ表示素子１〜３を点灯し、これに対応した表示が行なわれる。
【００１８】
また、第１の電力表示手段３のＬＥＤ表示素子１〜３が点灯して第１の電力設定手段３の電力段階３で調理しているのを少し加熱力を強くしたい時、第１の電力設定手段４のアップスイッチ４ｂを押すと、電力段階４が設定され第１の電力表示手段３はＬＥＤ表示素子１〜４が点灯し、電力段階４を表示する。
【００１９】
上記した第１の電力表示手段３および第１の電力設定手段４により設定し、表示した加熱力で調理していても、さらに加熱力を調節したい時には第２の電力設定手段６を操作する。すなわち、第１の電力表示手段３でＬＥＤ表示素子１〜４が点灯し、第１の電力設定手段４の電力段階４が設定されている。この状態において、第２の電力設定手段６の弱スイッチ６ａを押すと、現在設定されている第１の電力設定手段４の電力段階４に対し、少し小さい電力が設定されて第２の電力表示手段６における弱のＬＥＤ表示素子を点灯し、第１の電力表示手段手段３における電力段階４の表示から、さらに少し小さい電力が設定されている表示をすることができる。
【００２０】
また、これより第２の電力設定手段６の強スイッチ６ｂを押すと、現在設定されている第１の電力設定手段４の電力段階４より少し小さい電力から反対に少し大きい電力に設定され、第２の電力表示手段６における弱の点灯していたＬＥＤ表示素子が切換って強のＬＥＤ表示素子が点灯し、第１の電力表示手段３における電力段階４の表示から、さらに少し大きい電力が設定されている表示をすることができる。
【００２１】
そして、前記した第２の電力表示手段５と第２の電力設定手段６の操作と同じ要領で、第１の電力設定手段４における７段階の各電力段階を少し小さく、および少し大きく電力の設定とその表示を行うことができるのである。
【００２２】
図４は、第１の電力表示手段３と第２の電力表示手段５によって表示される電力設定段階と入力電力の関係を示す図で、この図から明らかなように本参考例では２１段階の電力段階の設定と表示ができる。
【００２３】
以上のように本参考例によれば、第１の電力表示手段３と第１の電力設定手段４に、第１の電力表示手段３の電力段階に対し、各電力段階をさらに複数の電力段階で表示する第２の電力表示手段５と、第２の電力表示手段５の電力段階を設定する第２の電力設定手段６を付加し、第１の電力設定手段４と第２の電力設定手段６により電力段階を決定し、加熱手段１の電力を制御する制御手段２を設けることにより、使用者が設定する電力段階を簡単に増やすことができることになり、使用者は調理中において目的の電力に対して従来に比べ適切な電力を得ることができる。
【００２４】
なお、第１の電力表示手段３および第２の電力表示手段５は、ＬＣＤ表示素子で構成してもよい。
【００２５】
（実施例１）
図５は本実施例における誘導加熱調理器の制御ブロック図である。本実施例は、参考例１における第２の電力設定手段に代えて、前記第１の電力表示手段で表示する電力段階を設定する状態と前記第２の電力表示手段で表示する電力段階を設定する状態とを切り換える電力設定状態切換手段と、前記電力設定状態切換手段により設定された電力設定状態を表示する電力設定状態表示手段と、前記第１の電力設定手段の出力と前記電力設定状態切換手段の出力により、前記第１の電力表示手段の表示する電力段階と前記第２の電力表示手段の表示する電力段階と前記加熱手段を制御する電力を決定する制御手段を備えた処が異なり、参考例１と同一の作用効果を奏する構成要素については同じ符号を付して詳細な説明を省略し、異なる処を中心に説明する。
【００２６】
図５において、１４はＬＥＤ表示素子で構成した電力設定状態表示手段で、制御手段２の出力により、第１の電力表示手段３での電力段階を消灯により表示し、第２の電力表示手段５での電力段階を点灯により表示をするものである。１５は切換スイッチよりなる電力設定状態切換手段で、切換スイッチの操作により前記制御手段２が、第１の電力表示手段３の表示する電力段階を設定する状態と、第２の電力表示手段５の表示する電力段階を設定する状態とに切り換える。制御手段２は、前記第１の電力設定手段４の出力と前記電力設定状態切換手段１５の出力により、前記第１の電力表示手段３の電力段階と前記第２の電力表示手段５の電力段階と前記加熱手段１を制御する電力を決定する制御フローを実行するものである。
【００２７】
以上のように構成された本実施例の動作について、表示操作部の詳細図である図６（ａ）〜（ｅ）を用いて説明する。なお、参考例１と同一の動作については説明を省略する。
【００２８】
図６において、電力設定状態表示手段１４は、ＬＥＤ表示素子が消灯している場合、第１の電力表示手段３の電力段階を設定する状態であること、そしてＬＥＤ表示素子が点灯している場合、第２の電力表示手段５の電力段階を設定する状態であることを使用者に知らせる。そして、電力設定状態切換手段１５は、切換スイッチを押すことにより、第１の電力表示手段３の電力段階を設定する状態と、第２の電力表示手段５の電力段階を設定する状態とを切り換える。
【００２９】
今、電力設定状態切換手段１５を操作したところ電力設定状態表示手段１４が消灯し、第１の電力表示手段３の電力段階を表示する状態になっている場合に、第１の電力設定手段４のダウンスイッチ４ａを押すと、第１の電力表示手段３は例えば電力段階３を表示する。この状態である、電力設定状態表示手段１４のＬＥＤ表示素子が消灯していて、第１の電力表示手段３が電力段階３を表示している場合に、第１の電力設定手段４のアップスイッチ４ｂを押すと、第１の電力表示手段３は、電力段階４を表示する。
【００３０】
また、電力設定状態切換手段１５を操作したところ電力設定状態表示手段１４が点灯し、第２の電力表示手段５が中の電力段階を表示している場合に、第１の電力設定手段４のダウンスイッチ４ａを押すと、第２の電力表示手段５は、弱の電力段階を表示する。さらに、電力設定状態切換手段１５の操作により電力設定状態表示手段１４の表示素子ＬＥＤが点灯している場合で、第２の電力表示手段５が中の電力段階を表示している場合に第１の電力設定手段４のアップスイッチ４ｂを押すと、第２の電力表示手段５は、強の電力段階を表示する。
【００３１】
以上のように本実施例によれば、第２の電力設定手段５に代えて、第１の電力表示手段３の表示する電力段階を設定する状態と第２の電力表示手段５の表示する電力段階を設定する状態とを切り換える電力設定状態切換手段１５を付加し、第１の電力設定手段４の出力を、電力設定状態切換手段１５の状態により切換える制御手段２を設けたことにより、第２の電力設定手段６に比べ、少ないスイッチによる安価な構成で適切な電力を得ることができる。
【００３２】
また、電力設定状態切換手段１５により設定された電力設定状態を表示する電力設定状態表示手段１４を備えることにより、使用者は設定中の電力設定状態を確認することができ、使い勝手がよい。
【００３３】
なお、第１の電力表示手段３、第２の電力表示手段５および電力設定状態表示手段１４は、ＬＣＤ表示素子で構成してもよい。
【００３４】
（実施例２）
図７は本実施例における誘導加熱調理器の制御ブロック図である。本実施例は、参考例１における第２の電力設定手段６に代えて、前記第１の電力設定手段からの出力により計時を開始する第１の計時手段と、前記第１の計時手段の出力により、前記第１の電力表示手段の電力段階と前記第２の電力表示手段の電力段階と前記加熱手段を制御する電力を決定する制御手段を備えた処が異なり、参考例１と同一の作用効果を奏する構成要素については同じ符号を付して詳細な説明を省略し、異なる処を中心に説明する。
【００３５】
図７において、１６は第１の電力設定手段４からの出力により計時を開始する第１の計時手段で、第１の電力設定手段４のダウンスイッチ４ａ、または、アップスイッチ４ｂが押された時間を計時し、制御手段２へ出力する。制御手段２は第１の計時手段により計時された時間を入力して、第１の電力表示手段の電力段階を変更するか第２の電力表示手段５の電力段階を変更するかを決定する。
【００３６】
以上のように構成された本実施例の動作について、表示操作部の詳細図である図８（ａ）〜（ｃ）を用いて説明する。なお、参考例１と同一の動作については説明を省略する。
【００３７】
図８において、第１の電力表示手段３が１から４のＬＥＤ表示素子を点灯して電力段階４が設定されている場合に、第１の電力設定手段４のダウンスイッチ４ａを１秒間押すと、第１の電力表示手段３は、１から３のＬＥＤ表示素子を点灯し電力段階３が設定される。この状態において、第１の電力設定手段４のアップスイッチ４ｂを１秒間押すと、第１の電力表示手段３は、１から４のＬＥＤ表示素子を点灯し電力段階４になる。
【００３８】
また、第１の電力設定手段４のダウンスイッチ４ａを０．１秒間押すと、仮にこの時、第２の電力表示手段５が中のＬＥＤ表示素子を表示している場合に、この第２の電力表示手段５は、中から切換って弱のＬＥＤ表示素子を点灯する。また、第１の電力設定手段４のアップスイッチ４ｂを０．１秒間押すと、仮にこの時、第２の電力表示手段５が中のＬＥＤ表示素子を表示している場合に、第２の電力表示手段５は、中から切換って強のＬＥＤ表示素子を点灯する。
【００３９】
以上のように本実施例によれば、第２の電力設定手段６に代わり、第１の電力設定手段４からの出力により計時を開始する第１の計時手段１６を付加し、スイッチが押された時間により第１の電力表示手段３の電力段階を変更するのか、第２の電力表示手段５の電力段階を変更するのかを決定する制御手段２を設けることにより、少ないスイッチによる簡単な操作で適切な電力を得ることができる。
【００４０】
（参考例２）
本参考例は、参考例１における誘導加熱調理器の制御ブロックである図１と同じ図で、ただ参考例１における制御手段を、前記第１の電力表示手段の表示する各電力段階が変更された場合に、前記第２の電力表示手段の表示する電力段階を予め定められた所定の電力段階に設定を変更するようにした処が異なり、参考例１と同一の作用効果を奏する構成要素については同じ符号を付して詳細な説明を省略し、異なる処を中心に説明する。
【００４１】
制御手段２は、第１の電力表示手段３の表示する各電力段階が変更された場合に、第２の電力表示手段５の表示する電力段階を予め定められた所定の電力段階である「中」に設定を変更する制御フローを実行すものである。
【００４２】
以上のように構成された本参考例の動作について、表示操作部の詳細図である図３（ａ）〜（ｄ）を用いて説明する。なお、参考例１と同一の動作については説明を省略する。第２の電力表示手段５が弱、または強のＬＥＤ表示素子を点灯している場合に、第１の電力設定手段４のダウンスイッチ４ａまたはアップスイッチ４ｂを押すことにより第１の電力表示手段３の表示している何れかの電力段階を変更すると、第２の電力表示手段５は「中」のＬＥＤ表示素子を点灯する。
【００４３】
以上のように本参考例によれば、第１の電力表示手段３の表示する何れかの電力段階が変更された場合に、第２の電力表示手段５の表示する電力段階を予め定められた所定の電力段階に設定を変更する制御手段２を設け、電力が大きく変更された場合に、微調節を行う電力段階をその中心の電力段階に設定することにより、スイッチ操作の誤りを防止でき、簡単に電力段階の調節ができる。
【００４４】
なお、第２の電力表示手段５の所定の電力段階は、任意に設定してよい。
【００４５】
（実施例３）
図９は本実施例における誘導加熱調理器の制御ブロック図である。本実施例は、実施例１における制御ブロックの図５に、前記第２の電力表示手段の電力段階を設定する状態において、前記第１の電力設定手段により前記第２の電力表示手段の表示する電力段階を変更したときから計時を開始する第２の計時手段を備え、前記制御手段は前記第２計時手段の出力により、一定時間経過後、前記第１の電力表示手段の電力段階を設定する状態に切換える構成を付加したものであり、参考例１と同一の作用効果を奏する構成要素については同じ符号を付して詳細な説明を省略し、異なる処を中心に説明する。
【００４６】
図９において、１７は第２の電力表示手段５の表示する電力段階を設定する状態において、制御手段２が第１の電力設定手段３の表示する第１の電力設定手段４の出力により第２の表示手段５の表示する電力段階を変更したときから計時を開始する第２の計時手段で、第２の計時手段１７の出力により制御手段２は、電力設定状態を第１の電力表示手段３の表示する電力段階を設定する状態にし、電力設定状態表示手段１４を第１の電力表示手段３の表示する電力段階を設定する状態にする。
【００４７】
以上のように構成された本実施例の動作について、表示操作部の詳細図である図８を用いて説明する。なお、参考例１と同一の動作については説明を省略する。
【００４８】
図８において、電力設定状態表示手段１４がＬＥＤ表示素子を点灯し、第２の電力表示手段５の表示する電力段階に設定する状態の場合に、第１の電力設定手段４のダウンスイッチ４ａまたはアップスイッチ４ｂを押すことにより、第２の電力表示手段５が点灯するＬＥＤ表示素子が変更されてから第２の計時手段１７がカウントして１０分間経過すると、その出力により制御手段２は電力設定状態表示手段１４のＬＥＤ表示素子を消灯し、第２の電力表示手段５の表示する電力段階を設定する状態から第１の電力表示手段３の表示する電力段階を設定する状態に切り換えるのである。
【００４９】
以上のように本実施例によれば、第２の電力表示手段５の表示する電力段階を設定し終えてから一定時間経過後の第２の計時手段により、制御手段２は第１の電力表示手段３の表示する電力段階を設定する状態に設定状態が切換えるで、一定時間経過後、再度電力設定を行う場合に、第１の電力表示手段３の表示する電力段階を変更できる状態になっているので、キー操作の回数が減り、使用者の使い勝手がよい。
【００５０】
【発明の効果】
以上のように本発明の請求項１に記載の発明によれば、電力設定状態切換手段を付加し、第１の電力表示手段の表示する電力段階と第２の電力表示手段の表示する電力段階の設定とに電力設定状態を切り換えることにより、制御手段は第１の電力設定手段で以って第１の電力表示手段の表示する電力段階と第２の電力表示手段の表示する電力段階を設定できるようになり、少ないスイッチで適切な電力の調節ができる使い勝手のよい誘導加熱調理器を提供することができる。
【００５１】
請求項２に記載の発明によれば、第１の電力設定手段の出力で計時を開始する第１の計時手段を付加し、制御手段は前記第１の計時手段の出力により、第１の電力表示手段の表示する電力段階と第２の電力表示手段の表示する電力段階の設定とを切り換えることにより、少ないスイッチで簡単な操作により、適切な電力の調節ができる使い勝手のよい誘導加熱調理器を提供することができる。
【００５２】
請求項３に記載の発明によれば、請求項１の記載において、第２の電力表示手段の電力段階を設定する状態において、第１の電力設定手段により前記第２の電力表示手段の電力段階を変更したときから計時を開始する第２の計時手段を備え、前記制御手段は前記第２計時手段の出力により一定時間経過後、前記第１の電力表示手段の電力段階を設定する状態にしているので、キー操作の回数を減らすことができ、使い勝手のよい誘導加熱調理器を提供することができる。
【図面の簡単な説明】
【図１】  本発明の参考例１および参考例２における誘導加熱調理器の制御ブロック図
【図２】  同誘導加熱調理器の具体的な回路図
【図３】  （ａ）同誘導加熱調理器の表示部である第１の電力表示手段の図
（ｂ）同誘導加熱調理器の操作部である第１の電力設定手段の図
（ｃ）同誘導加熱調理器の表示部である第２の電力表示手段の図
（ｄ）同誘導加熱調理器の操作部である第２の電力設定手段の図
【図４】  同誘導加熱調理器の電力設定段階と入力電力の関係図
【図５】  本発明の実施例１における誘導加熱調理器の制御ブロック図
【図６】  （ａ）同誘導加熱調理器の表示部である第１の電力表示手段の図
（ｂ）同誘導加熱調理器の表示部である第２の電力表示手段の図
（ｃ）同誘導加熱調理器の操作部である第１の電力設定手段の図
（ｄ）同誘導加熱調理器の表示部である電力設定状態表示手段の図
（ｅ）同誘導加熱調理器の操作部である電力設定状態切換手段の図
【図７】  本発明の実施例２における誘導加熱調理器の制御ブロック図
【図８】  （ａ）同誘導加熱調理器の表示部である第１の電力表示手段の図
（ｂ）同誘導加熱調理器の表示部である第２の電力表示手段の図
（ｃ）同誘導加熱調理器の操作部である第１の電力設定手段の図
【図９】  本発明の実施例３における誘導加熱調理器の制御ブロック図
【図１０】  従来の誘導加熱調理器の制御ブロック図
【図１１】  （ａ）同誘導加熱調理器の表示部である第１の電力表示手段の図
（ｂ）同誘導加熱調理器の操作部である第１の電力設定手段の図
【符号の説明】
１    加熱手段
２    制御手段
３    第１の電力表示手段
４    第１の電力設定手段
５    第２の電力表示手段
６    第２の電力設定手段
１４  電力設定状態表示手段
１５  電力設定状態切換手段
１６  第１の計時手段
１７  第２の計時手段
【図１】
0003835213.tif 000002
【図２】
0003835213.tif 000003
【図３】
0003835213.tif 000004
【図４】
0003835213.tif 000005
【図５】
0003835213.tif 000006
【図６】
0003835213.tif 000007
【図７】
0003835213.tif 000008
【図８】
0003835213.tif 000009
【図９】
0003835213.tif 000010
【図１０】
0003835213.tif 000011
【図１１】
0003835213.tif 000012